(57)【要約】【課題】遊技機内部に比較的狭いスペースしかない場合でも、遊技機内部の機器とワイヤとの干渉が起きないように適切に取り付け可能な遊技機用の不正開放防止装置と、この不正開放防止装置を備えた遊技場の島設備とを提供すること。【解決手段】不正開放防止装置１は、ケース３を任意の場所に配設し、チューブ４を任意に湾曲させて遊技機内部へ導入し、チューブ固定具６を遊技機本体側に固定し、ワイヤ固定具７を遊技機の前枠に固定して使用される。前枠を閉じてワイヤ５をケース３内のリールに巻き取ってリールをロックすると、前枠が開放不能となる。リールのロックを解除した場合は、前枠を開放するとワイヤ５が前枠に引っ張られ、ワイヤ５がリールから繰り出される。かさ高いケース３を遊技機内部に配置せず、遊技機内部には細長いチューブ４を配設すればよいので、遊技機内部に狭いスペースしかなくても、適切に取り付けることができる。【選択図】  図１
2004173761.tif 000002
【特許請求の範囲】
【請求項１】
遊技機の備える前枠が不正に開放されるのを防止する遊技機用の不正開放防止装置であって、
一端が前記前枠に連結されるワイヤと、
該ワイヤの他端が連結され、前記前枠を閉じるときには順方向へ回転して前記ワイヤを巻き取る一方、前記前枠を開くときには逆方向へ回転して前記ワイヤを繰り出すリールと、
任意に湾曲させて配設可能で、前記ワイヤの前記リールから繰り出された部分が内部を貫通するチューブと、
前記リールの前記逆方向への回転を阻止するロック状態、または前記リールの前記逆方向への回転を阻止しないアンロック状態のいずれかに切り替わるロック機構と
を備えたことを特徴とする遊技機用の不正開放防止装置。
【請求項２】
前記ワイヤの切断を検知する断線検知手段
を備えたことを特徴とする請求項１に記載の遊技機用の不正開放防止装置。
【請求項３】
前記断線検知手段が、第１の位置または第２の位置へ移動する移動体と、該移動体を前記第２の位置へ移動させるように付勢する付勢部材と、前記移動体が前記第１の位置から前記第２の位置へ移動するのに伴ってオン／オフが切り替わるスイッチとを備えてなり、
前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記第２の位置に移動するように構成されている
ことを特徴とする請求項２に記載の遊技機用の不正開放防止装置。
【請求項４】
請求項１〜請求項３のいずれかに記載の遊技機用の不正開放防止装置を備えていることを特徴とする遊技場の島設備。
【発明の詳細な説明】
【０００１】
【発明の属する技術分野】
本発明は、本体の正面側に開閉可能な前枠を備えてなる遊技機において、合鍵等を使って前枠を開放する不正行為を防止するために用いられる遊技機用の不正開放防止装置と、この不正開放防止装置を備えた遊技場の島設備に関する。
【０００２】
【従来の技術】
従来から、パチンコ機に代表される弾球遊技機、あるいは回胴式遊技機（以下、これらを総称して単に遊技機という）において、遊技機の内部に配設されたＲＯＭや基板が、不正なものと交換されることが問題となっている。
【０００３】
例えば、遊技場の営業時間外に遊技場に忍び込んだ者が、遊技機の前枠を開いて正規なＲＯＭや基板を不正なＲＯＭや基板と交換し、これにより、いわゆる大当たりの発生確率を高くしたり、大当たりの連続発生回数を増大させたりするなどの不正改造が行われる。このような不正改造が行われた場合、そのことを承知で来店した不正な遊技者が特殊な操作等を行うと、通常の遊技では得られないような多量の賞球またはメダルを獲得することができてしまうため、遊技場は多大な金銭的被害を被ることになる。
【０００４】
このような問題に対処するための一手段として、下記特許文献１には、ワイヤを使って前枠の開放を阻止するように構成されたパチンコ機不正開放防止装置が開示されている。このような装置を用いれば、遊技場の営業時間外に遊技機の前枠を開放することができなくなるので、上記のような不正改造を防止できるものと期待された。
【０００５】
【特許文献１】
特開平１０−０９４６５２号公報
【０００６】
【発明が解決しようとする課題】
しかしながら、上記特許文献１に記載のパチンコ機不正開放防止装置には、以下のような問題があった。
遊技機の内部には、遊技に関わる様々な機器や配線等が存在しているので、新たな機器を配設できるような余分なスペースはほとんど残されていない。そのため、上記従来の不正開放防止装置の場合、リール等の構造物を備えた本体部分が大型化しすぎると、遊技機への取り付けが困難になるという欠点があり、その一方、本体部分を小型化し過ぎると、リール等の構造物の強度が不足してしまうため、強引に前枠の開放が行われた場合に、リール等の構造物の破壊を伴って前枠が開放されてしまうおそれがあった。
【０００７】
また、上記従来の不正開放防止装置において、前枠の開閉時にワイヤが通ることになるスペースに何らかの機器が存在すると、その機器にワイヤの中途部分が接触して、その機器とワイヤとが擦れ合い、機器の故障やワイヤの断線を招くおそれがあるため、こうした事態を避けることができる位置に本体部分を設置しようとすると、本体部分を設置可能な場所はさらに限定されてしまい、装置の取り付けがより一層困難になるという問題があった。
【０００８】
さらに、こうした遊技機内部の機器とワイヤとの干渉を避けるには、不正開放防止装置の本体部分をできるだけ前枠寄りの場所に設置し、本体部分と前枠との間に余計な機器が存在しないようにするという方法を考え得るが、この場合、本体部分を遊技場の島設備側に固定するようなことはできず、本体部分は遊技機内部に固定されることになる。そのため、遊技機の入れ替えを行う際には、不正開放防止装置の本体部分を遊技機から取り外さなければならず、遊技場でしばしば行われる新台入替の際に多大な手間がかかるという欠点もあった。また、遊技機は、規則によって改造が禁じられているため、何らかの電気機器を遊技機内部に増設するだけで規則違反と見なされる場合もあり、不正開放防止装置の本体部分を遊技機内部に増設することが認められないこともあった。
【０００９】
本発明は、上記のような諸問題を解決するためになされたものであり、その目的は、遊技機内部に比較的狭いスペースしかない場合でも、遊技機内部の機器とワイヤとの干渉が起きないように適切に取り付け可能な遊技機用の不正開放防止装置と、この不正開放防止装置を備えた遊技場の島設備とを提供することにある。
【００１０】
【課題を解決するための手段、および発明の効果】
上記目的を達成するため、本発明においては、請求項１に記載の如き構成を採用した。
すなわち、請求項１に記載の発明は、
遊技機の備える前枠が不正に開放されるのを防止する遊技機用の不正開放防止装置であって、
一端が前記前枠に連結されるワイヤと、
該ワイヤの他端が連結され、前記前枠を閉じるときには順方向へ回転して前記ワイヤを巻き取る一方、前記前枠を開くときには逆方向へ回転して前記ワイヤを繰り出すリールと、
任意に湾曲させて配設可能で、前記ワイヤの前記リールから繰り出された部分が内部を貫通するチューブと、
前記リールの前記逆方向への回転を阻止するロック状態、または前記リールの前記逆方向への回転を阻止しないアンロック状態のいずれかに切り替わるロック機構と
を備えたことを特徴とする。
【００１１】
この遊技機用の不正開放防止装置において、ワイヤは、悪意を持って切断されるようなことが無い限り、通常の運用では切れない程度の強度を有し、且つ、リールに巻き取ることができる程度の柔軟性を有する線状体であり、例えば、金属製のワイヤなどが好適であるが、上記のような条件を満足するものであれば、金属以外の材料（例えば、樹脂材料）で形成されたワイヤであってもよいし、微視的な構造については限定されず、例えば、細線を撚り合わせたような構造になっていても、鎖のような構造になっているものでもよい。
【００１２】
リールは、少なくともワイヤを巻き取るときの回転方向（本発明でいう順方向）へは能動的に回転してワイヤを巻き取ることができるものであり、また、ワイヤを繰り出すときの回転方向（本発明でいう逆方向）へはワイヤが引っ張り出されるのに伴って受動的に回転するか、必要があればいくらか能動的に回転するかして、ワイヤを繰り出すことができるものである。能動的に回転する構造としては、例えば、引っ張り出されるワイヤに従動してリールが回転すると締まるゼンマイを設けて、ゼンマイの力でリールが能動的に回転してワイヤを巻き取るような構造を採用すればよい。また、モーターなどの動力源を設けて、その動力源からの力でリールを回転駆動するような構造を採用しても構わない。
【００１３】
チューブは、任意に湾曲させることができる程度の柔軟性は有するものの、軸方向へは伸縮せず、湾曲させても内腔がつぶれない程度の強度を有するものである。また、内部にワイヤが通されて、ワイヤが軸方向に摺動するため、内面の摩擦抵抗が小さいものほど望ましい。
【００１４】
ロック機構は、少なくとも２位置へ移動する可動部を有し、その可動部が一方の位置へ移動した時にのみ、リール側と係合したりリール側に圧接したりすることで、リールの回転を妨げる状態になる機構である。このような可動部は、例えばソレノイドやモータなどの動力源からの動力で作動するように構成されていると望ましい。
【００１５】
以上のように構成された遊技機用の不正開放防止装置によれば、チューブの先端を前枠の開放に伴って移動しない箇所（例えば、遊技機本体）に固定し、その先端から引き出されるワイヤを前枠に連結し、この状態において、遊技機の前枠を閉じ、リールでワイヤを巻き取ってからロック機構をロック状態にすれば、前枠を開放不能な状態にすることができる。また、ロック機構をアンロック状態にすれば、前枠の開放に伴ってワイヤが繰り出されるので、前枠の開放が妨げられない状態となる。
【００１６】
しかも、この不正開放防止装置は、上記特許文献１に記載のものとは異なり、配設する際には、チューブの先端を前枠の開放に伴って移動しない箇所（例えば、遊技機本体）に固定すればよく、リール等の構造物は任意の位置に配設することができる。すなわち、チューブを任意に湾曲させることができるので、チューブの先端を固定しても、リール等の構造物とチューブの先端との相対的な位置関係は自由に変えることができる。しかも、チューブによってワイヤの動作する経路が規制され、ワイヤが曲がりくねった経路に配置されてもワイヤに張力をかけることができるので、上記特許文献１に記載の如きチューブがないものとは異なり、チューブの先端さえ適切な位置に配設すれば、リール等の構造物をどこに配設しようとも、ワイヤに張力がかからなくなってワイヤがたるんだり、ワイヤが他の機器に接触したりすることはない。
【００１７】
したがって、遊技機の内部に十分なスペースがない場合でも、チューブの先端を固定できる僅かなスペースがあれば、リール等の構造物は遊技機外部の任意の場所（例えば、島設備上）に配設し、チューブの先端側だけを遊技機内部に導入して、本不正開放防止装置を取り付けることができる。あるいは、遊技機内部にあるスペースと前枠との位置関係がよくない場合でも、そのスペースにリール等の構造物を配置し、前枠との位置関係が良好な部分にチューブの先端が来るようにチューブを引き回し、本不正開放防止装置を適切に取り付けることができる。
【００１８】
さらに、遊技機に対して固定される箇所をチューブの先端部分だけとすることができ、リール等の構造物を含む本体部分は任意の場所（例えば、島設備上）に配設できるので、遊技機の入れ替えを行う際に、不正開放防止装置の本体部分を遊技機から取り外す手間がかからず、新台入替の際に要する労力を軽減できる。また、遊技機内部に配設される部分をチューブやワイヤなどの非電気部品からなる部分だけとすることができ、電気部品を含む部分を遊技機外に配設することができるので、規則違反となる遊技機の改造に該当すると見なされる可能性は低いと考えられる。
【００１９】
ところで、上記従来の不正開放防止装置では、ワイヤを切断して不正改造を実行する者が現れると、被害を防止するための有効な対策にはならないという問題があった。
より具体的に説明すると、上記特許文献１に記載のパチンコ機不正開放防止装置を装着すれば、遊技機の前枠を大きく開放するようなことはできなくなるのであるが、例えば、前枠に対して無理矢理大きな力を加えるようなことをすると、ワイヤがいくらか伸びたりすることがあり、また、パチンコ機不正開放防止装置の部品間の遊びに起因するガタがあることもあり、これらの蓄積によって前枠がごく僅かだけ開く方向へ動くことがある。そのため、このようにして前枠が僅かに開くと、ヤスリやナイフを隙間から差し込んでワイヤを切断することができるようになる場合があり、ワイヤが切断されてしまうと、遊技機の前枠を大きく開放するようなことができ、不正改造もできてしまう。
【００２０】
もちろん、遊技場の開店前にワイヤが切断されていないかどうかを点検することは不可能ではないが、大規模な遊技場になるほど遊技機の設置台数も多くなり、開店前にすべての遊技機について不正改造が実施されなかったか否かを毎日点検するようなことは現実的ではない。
【００２１】
そのため、仮に上記特許文献１に記載のパチンコ機不正開放防止装置をパチンコ機に装着していたとしても、ワイヤが切断されて不正改造が行われた場合、そのような不正改造に気づくまでに数日以上を要することは多々あり、その間に不正な遊技が行われて被害を受けてしまうという問題があった。
【００２２】
このような問題は、上記請求項１に記載の構成を備えている場合でも、同様に発生するおそれがある。
そこで、請求項２に記載の発明は、
前記ワイヤの切断を検知する断線検知手段
を備えたことを特徴とする。
【００２３】
この遊技機用の不正開放防止装置において、断線検知手段は、ワイヤの切断を検知することができるものであれば、その具体的な構造は任意である。
一例としては、例えば、前記断線検知手段が、第１の位置または第２の位置へ移動する移動体と、該移動体を前記第２の位置へ移動させるように付勢する付勢部材と、前記移動体が前記第１の位置から前記第２の位置へ移動するのに伴ってオン／オフが切り替わるスイッチとを備えてなり、前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記第２の位置に移動するように構成されているとよい。また、ワイヤの切断に伴ってワイヤが大きくたるむことが確実であれば、たるんだワイヤそのものがリミットスイッチを作動させるような構造としてもよい。ただし、ワイヤのたるみがどの程度発生するか定かでない場合には、前述の如き移動体と付勢部材とを用いて、付勢部材の力で移動する移動する移動体をワイヤに当接させてワイヤを強制的にたるませ、移動体が移動したことをもって、ワイヤのたるみ（切断）が発生したことを検知する方が望ましい。また、この他、断線検知手段は、ワイヤ自体が微弱な電流の流れる電気回路の一部を構成していて、このワイヤが切断されて上記微弱な電流が流れなくなった場合に、ワイヤの切断が発生したと判定するような構成でもよい。
【００２４】
以上のように構成された遊技機用の不正開放防止装置によれば、ワイヤが切断された場合には、そのことを断線検知手段が検知するので、この検知結果に基づいて、不正な改造が行われた疑いのある遊技機の稼働を停止させたり、係員が内部の点検を行うなどの対処を、直ちに実施することができる。
【００２５】
なお、断線検知手段による検知結果をどのように扱うかは任意であるが、一例としては、検知結果を遊技場の係員に通知するという方法が考えられる。
検知結果を遊技場の係員に通知するための具体的な手段は任意であり、例えば、遊技機毎に警告灯を設けておいて、ワイヤの切断を検知した場合には、検知対象となった遊技機に対応する警告灯を点灯させる、といったものでよい。また、遊技島単位など複数の遊技機に対応する１つの警告灯を設けておいて、警告灯が点灯した場合は、それら複数の遊技機すべてを点検対象とするようにしてもよい。
【００２６】
また、単なる警告灯に代えて、７セグメントＬＥＤなどの数値表示器を設けるとともに、遊技機に事前に番号を割り当てておいて、ワイヤの切断を検知した場合には、検知対象となった遊技機に割り当てられた番号を数値表示器に表示するようにしてもよい。
【００２７】
これらの警告灯や数値表示器は、ワイヤの切断を報知するための専用品でなくてもよく、例えば、多くの遊技場において遊技機毎に設けられている公知の呼出ランプが別の目的で備えている発光手段や数値表示手段を、ワイヤの切断報知用として兼用してもよいし、遊技場内の各種装置を統合管理するホールコンピュータのディスプレイに、ワイヤの切断に関する情報を表示するようにしてもよい。
【００２８】
また、上記の具体例は、警告灯や番号表示など、いずれも視覚に訴える通知手段ばかりであるが、検知結果を知らせるための具体的な手段は、警報音などの聴覚に訴える通知手段や、係員の所持するバイブレータを振動させるなど触覚に訴える通知手段であってもよく、これらいくつかの通知手段を併用してもよい。
【００２９】
さらに、断線検知手段による検知結果は、単に係員に対して通知されるだけでもよいが、このような係員に対する通知以外の対処も考えることができ、例えば、断線検知手段による検知結果に基づいて、検知対象となった遊技機の電源や制御装置を制御することにより、その遊技機の稼働を強制的に停止させるようにしてもよい。このような対処は、単独で採用することもできるし、上述の係員に対する通知と併用することもできる。
【００３０】
つまり、本発明において、断線検知手段がワイヤの切断を検知した後の対処方法は、係員への通知や遊技機の稼働停止など、様々な具体的対処方法を考えることができるが、いずれの方法で対処するにしても、ワイヤの切断を検知できなかった従来品とは異なり、直ちに何らかの対処を行うことができるのである。
【００３１】
さらに、以上説明した遊技機用の不正開放防止装置は、一つの独立した装置として構成し、後付で遊技機や島設備に付加するように構成してあってもよいが、初めから島設備の一部として組み込まれていてもよい。
すなわち、請求項１〜請求項３のいずれかに記載の遊技機用の不正開放防止装置を備えている遊技場の島設備として提供することも可能である。
【００３２】
この場合、島設備からは上述のチューブが延びている状態になっていて、遊技機を島設備に設置する際には、チューブの先端が遊技機の前枠との位置関係を考慮して適切な位置に固定される。遊技場においては、遊技機の入れ替えをしばしば行うが、この場合でも、遊技機本体からチューブの先端を取り外し、前枠からワイヤの先端を取り外すだけで、リール等の構造物はいちいち取り外すことなく、遊技機の入れ替えを行って、新しい遊技機に不正開放防止装置を取り付け直すことができる。
【００３３】
なお、不正開放防止装置を島設備とは別の独立した装置として構成した場合でも、リール等の構造物を島設備に対して固定すれば、遊技機の入れ替えを行った際に、新しい遊技機に不正開放防止装置を取り付け直す手間を省くことができる。
【００３４】
【発明の実施の形態】
次に、本発明の実施形態について、具体的な一例を挙げて説明する。
図１に示すように、不正開放防止装置１は、ケース３、チューブ４、ワイヤ５、チューブ固定具６、およびワイヤ固定具７を備えている。また、ケース３の内部には、図２に示すように、順逆両方向に回転可能なリール１１と、リール１１の中央部に組み込まれたゼンマイ１３と、リール１１に固定されてリール１１とともに回転する爪車１５と、爪車１５外周部の爪に引っかかるピン１７と、ワイヤ５にかかっている張力に応じて第１，第２の位置のいずれかへスライドする第１スライダー１８と、第１スライダー１８が当接するか否かに応じてオン／オフが切り替わる第１リミットスイッチ１９が組み込まれている。
【００３５】
リール１１は、軸２１を中心に回転可能で、外周部にワイヤ５の一端が連結されていて、順方向（図２中の矢印Ａ１方向）へ回転した際に、ワイヤ５を巻き取る一方、逆方向（図２中の矢印Ａ２方向）へ回転した際に、巻き取っていたワイヤ５を繰り出すことができるようになっている。
【００３６】
ゼンマイ１３は、内側にある一端が軸２１に固定されるとともに、外側にある一端がリール１１に固定され、いくらか締まる方向へ変形した状態で組み込まれることにより、常にリール１１を順方向に回転させるように付勢している。ワイヤ５がケース３から引っ張り出される方向（図２中の矢印Ｂ方向）へ力が作用した際には、ゼンマイ１３の付勢力に逆らってリール１１が逆方向へ回転し、ゼンマイ１３がさらに締まるため、ワイヤ５を引っ張り出す方向への力をゆるめると、ゼンマイ１３の力でリール１１が順方向へ回転し、ワイヤ５がリール１１に巻き取られる。
【００３７】
爪車１５およびピン１７は、本発明でいうロック機構を構成するものであり、本実施形態においては、爪車１５およびピン１７がラチェット機構を構成し、ピン１７によって爪車１５の逆方向への回転が規制されるようになっている。
より詳しく説明すると、ピン１７は、図３に示すように、スライド動作可能な第２スライダー２３に固定され、第２スライダー２３は、ソレノイド２５のプランジャ２７に連結され、ソレノイド２５のコイルスプリング２９によって一方向（図３中の矢印Ｃ１方向）に付勢されている。
【００３８】
ソレノイド２５が非励磁状態の時は、第２スライダー２３は図３中の矢印Ｃ１方向に変位した状態にあり、ピン１７は図２において実線で示した位置にあるため、爪車１５の順方向への回転は阻止されないが、爪車１５の逆方向への回転が阻止される。
【００３９】
すなわち、爪車１５を順方向（図２中の矢印Ａ１方向）へ回転させようとすると、爪車１５がピン１７に当接してピン１７に爪車１５からの力が作用するが、この時、爪車１５は、第２スライダー２３のスライド方向に作用する分力が大きくなるような傾きを持つ端面でピン１７に当接する。そのため、ピン１７および第２スライダー２３は、ソレノイド２５のコイルスプリング２９の付勢力に抗してスライドし、ピン１７が障害物とはならないので、爪車１５の順方向への回転は阻止されず、リール１１の順方向への回転は阻止されない状態になる。
【００４０】
一方、爪車１５を逆方向（図２中の矢印Ａ２方向）へ回転させようとすると、この場合も爪車１５がピン１７に当接してピン１７に爪車１５からの力が作用するが、この時は、爪車１５が、第２スライダー２３のスライド方向に作用する分力が小さくなる（ほぼゼロになる）ような傾きを持つ端面でピン１７に当接する。そのため、ピン１７および第２スライダー２３はスライドせず、ピン１７が障害物となるので、爪車１５の逆方向への回転が阻止され、リール１１の逆方向への回転が阻止される状態（本発明でいうロック状態）になる。
【００４１】
ソレノイド２５が励磁状態の時は、ソレノイド２５のプランジャ２７はコイルスプリング２９の付勢力に抗して図３中の矢印Ｃ２方向に変位し、第２スライダー２３は図３中の矢印Ｃ２方向に変位した状態になり、ピン１７は図２において破線で示した位置にあるため、爪車１５の回転は順逆両方向ともに阻止されない。
【００４２】
すなわち、ピン１７が爪車１５に接触しない位置にあり、ピン１７が障害物とはならないので、爪車１５は順逆両方向に回転することができ、リール１１の逆方向への回転が阻止されない状態（本発明でいうアンロック状態）になる。したがって、アンロック信号としてソレノイド２５に対する駆動信号（駆動電力）を与えれば、本装置をアンロック状態にすることができる。
【００４３】
つまり、本実施形態においてロック機構として採用した爪車１５およびピン１７は、ロック状態となる位置にピン１７がある時でも、リール１１の順方向への回転は許容し、常にリール１１を順方向に回転させようとするゼンマイ１３と協働して、常にワイヤ５を巻き取る方向へ引っ張っている。この構造により、ワイヤ５には常に張力が与えられることになり、ワイヤ５をたるまないようにすることができる。
【００４４】
第１スライダー１８は、ケース３に形成されたリブ（図示略）に規制されてスライド動作可能に保持されている。ワイヤ５が切断されていない状態においては、ワイヤ５に張力がかかっているため、第１スライダー１８がワイヤ５に引っ張られて、図２中の矢印Ｄ１方向に変位し、これに伴ってコイルスプリング３１を圧縮する状態になっている。一方、ワイヤ５が切断された場合は、ワイヤ５に張力がかかっていない状態になるため、圧縮されていたコイルスプリング３１が伸張し、第１スライダー１８は、図３中の矢印Ｄ２方向に変位する。
【００４５】
第１リミットスイッチ１９は、図２に示すように第１スライダー１８が当接していないときはオフになり、図３に示すように第１スライダー１８が当接しているときにはオンになるものである。第１スライダー１８は、上述の通り、ワイヤ５が切断されたか否かに応じて２位置に移動するため、第１リミットスイッチ１９がオンになったことをもって、ワイヤ５の断線が発生したことを検出することができる。
【００４６】
ところで、ワイヤ５が切断された場合、ゼンマイ１３の力でリール１１が正方向に回転し、ワイヤ５がリール１１に巻き取られるが、長尺なチューブ４が設けてある都合上、ワイヤ５は相応に長く、また、チューブ４とワイヤ５との摩擦抵抗もあるため、ワイヤ５をすべてリール１１に巻き取ってしまうことは難しい。そのため、ワイヤ５が切断された場合でも、第１スライダー１８とワイヤ５は当接する状態になっており、ワイヤ５の腰が強すぎると第１スライダー１８が矢印Ｄ２方向に変位できない状況になる可能性がある。
【００４７】
そこで、本装置においては、コイルスプリング３１を設けて第１スライダー１８を矢印Ｄ２方向へ変位するように付勢するとともに、ケース３とチューブ４とを接続する接続具３３の内面についてはテーパ面３３ａを形成することにより、ワイヤ５に張力がかかっていない場合に、ワイヤ５と第１スライダー１８の当接位置付近においてワイヤ５が大きくたるむようにしてある。すなわち、上記のようなテーパ面３３ａが存在しない場合は、その分だけワイヤ５のたるみが小さくなるが、テーパ面３３ａを設けたことにより、ワイヤ５が切断されたときのワイヤ５のたるみが大きくなり、ワイヤ５の切断を確実に第１リミットスイッチ１９で検知できるのである。
【００４８】
ちなみに、第１リミットスイッチ１９がオフになっていればワイヤ５が切断されていないと判断でき、第１リミットスイッチ１９がオンになっていれば、ワイヤ５が切断されている疑いがあると判断できるので、このオン信号をワイヤ断検出信号として出力することにより、ワイヤ５が切断されている疑いがある場合に、必要な対処（例えば、警告ランプの点灯制御など）を実施することができる。
【００４９】
これら第１スライダー１８、第１リミットスイッチ１９、およびコイルスプリング３１は、本発明でいう断線検知手段として機能するものであり、それぞれ上記請求項３に記載の移動体、スイッチ、および付勢部材に相当する。
なお、図３に示したように、第２スライダー２３が図３中の矢印Ｃ２方向に変位した際に第２スライダー２３が当接する位置には、第２リミットスイッチ３７が組み込まれ、この第２リミットスイッチ３７により、ソレノイド２５の励磁に伴って第２スライダー２３がスライドしたかどうかを検出できるようになっている。したがって、第２リミットスイッチ３７により、ソレノイド２５の故障または第２スライダー２３の動作不良などを検出し、必要な対処（例えば、ソレノイド２５への電圧印加停止、警告ランプの点灯制御など）を実施することができる。
【００５０】
以上のように構成された不正開放防止装置１は、遊技機本体の正面側に開閉可能な前枠を備えている遊技機に対応づけて装着されるが、その際、ケース３は島設備上などの任意の場所に固定することができる。そして、チューブ固定具６とワイヤ固定具７との適切な位置関係を考慮しつつ、チューブ４を所望の形状に湾曲させて遊技機内部へ導入し、チューブ固定具６が遊技機本体側にねじ止め固定され、ワイヤ固定具７が遊技機の前枠にねじ止め固定される。このとき、チューブ４は、極端に折り曲げるようなことさえしなければ、自由に湾曲させることができ、また、チューブ４の長さが許容する範囲内であれば、ケース３の取付位置も自由に設定することができる。
【００５１】
つまり、上記特許文献１に記載の不正開放防止装置の場合は、装置本体から直接ワイヤが引っ張り出される構成になっていたため、前枠に対するワイヤの連結位置と本体のワイヤが繰り出される開口との位置関係を、適切な位置関係とするように本体の配設位置を最適化しなければならなかったのに対し、本不正開放防止装置１の場合は、前枠に対するワイヤの連結位置（本実施形態においては、ワイヤ固定具７の取付位置。）とチューブ４のワイヤ５が繰り出される開口（本実施形態においては、チューブ固定具６の取付位置。）との位置関係さえ、適切な位置関係とすれば、ケース３の取付位置については特に限定されないのである。ケース３はリール１１等の構造物を組み込む都合上、どうしてもチューブ４やチューブ固定具６よりもかさ高い構造になるが、本不正開放防止装置１の場合は、ケース３を島設備上など遊技機外部に配設しておいて、遊技機の内部には、細長くてかさ張らず引き回しも容易なチューブ４を配設すればよく、狭い遊技機内であっても何ら問題なく配設することができるのである。
【００５２】
こうして不正開放防止装置１を遊技機に対応づけて取り付けた状態において、前枠を閉めた場合は、ゼンマイ１３の力でリール１１が正方向に回転し、ワイヤ５のゆるみがなくなるまでワイヤ５がリール１１に巻き取られる。また、ワイヤ５がリール１１に巻き取られた状態において、爪車１５にピン１７が引っかかって爪車１５の逆方向への回転が阻止されるため、ワイヤ５を引っ張り出すことはできなくなり、これにより、遊技機の前枠を開放することができなくなる。
【００５３】
一方、外部からの指令（例えば、遊技場係員が所持するリモコンからの信号）を受けて、不正開放防止装置１にアンロック信号が与えられ、ソレノイド２５が励磁されると、爪車１５にピン１７が引っかからなくなって爪車１５の逆方向への回転が阻止されなくなるため、ワイヤ５を引っ張り出すことができるようになり、これにより、遊技機の前枠を開放することができるようになる。
【００５４】
さらに、前枠を閉めた場合は、上述の通り、遊技機の前枠を大きく開放することができなくなるのであるが、例えば、前枠に対して無理矢理大きな力を加えるようなことをすると、ワイヤ５がいくらか伸びたりすることがある。また、不正開放防止装置１の部品間の遊びに起因するガタがあるので、ロック状態でもワイヤ５を完全に繰り出されないようにすることは難しい。そのため、これらの蓄積により、前枠がごく僅かだけ開く方向へ動くことがある。そして、このようにして前枠が僅かに開くと、ヤスリやナイフを隙間から差し込んでワイヤ５を切断することができるようになる場合がある。
【００５５】
しかし、上記不正開放防止装置１において、ワイヤ５を切断すると、ワイヤ５がリール１１に巻き取られるとともに、ワイヤ５に張力がかからない状態になり、それに伴って、常時はオフ状態になっている第１リミットスイッチ１９がオン状態になるため、例えば、第１リミットスイッチ１９がオン状態になったら点灯する警告ランプを併設することにより、遊技場の係員がワイヤ５の切断を容易に察知することができる。したがって、ワイヤ５の切断を察知した時点で、直ちに遊技機の点検を行うことができるようになり、必要があれば、遊技機の稼働停止や不正部品の交換などの必要な処置を施したりすることができるようになる。
【００５６】
以上、本発明の一実施形態について説明したが、本発明は上記一実施形態に限らず、上記とは別の種々の形態で実施することができる。
例えば、上記実施形態において、不正開放防止装置１は、遊技場の島設備および遊技機とは別体の装置として構成され、後から島設備に取り付ける旨の説明を行ったが、あらかじめ島設備の一部として不正開放防止装置が組み込まれていてもよい。この場合、上記ケース３は島設備の構成部品から独立した部品である必要はなく、例えば、島設備の一部を構成する部材に対して、直接リール等の構造物が組み付けられていてもよい。
【００５７】
また、上記実施形態では、第１リミットスイッチ１９によってワイヤ５の断線を検知するように構成してあったが、これ以外の手法でワイヤの断線を検知してもよい。具体例を挙げれば、例えば、ワイヤを導電性の材料で形成した場合、ワイヤの両端間の通電状態に基づいて、ワイヤの断線を検知することができる。
【００５８】
また、上記実施形態では、ゼンマイ１３の力でワイヤ５を巻き取るように構成してあったが、モーターでリールを駆動してワイヤを巻き取るように構成してもよい。
また、上記実施形態では、移動体である第１スライダー１８がスライドすることにより、第１リミットスイッチ１９に当接するように構成してあったが、移動体の動きはスライド動作に限定されるものではない。例えば、回動可能な移動体を設けて、回動に伴って第１リミットスイッチ１９に当接するように構成してあってもよい。この場合は、移動体上にあるコイルスプリング３１との連結点と回動中心との距離ａと、第１リミットスイッチ１９との当接点と回動中心との距離ｂとについて、大小関係を適宜調節することにより、移動体がてことして機能するようになり、リミットスイッチ１９に伝わる動作量やトルクを調節することができる。
【図面の簡単な説明】
【図１】本発明の実施形態として説明した遊技機用の不正開放防止装置の斜視図である。
【図２】ケース内部の構造の一部を示す断面図である。
【図３】ケース内部の構造の別の一部を示す断面図である。
【図４】ワイヤが切断された時の第１リミットスイッチの状態を示す断面図である。
【符号の説明】
１・・・不正開放防止装置、３・・・ケース、４・・・チューブ、５・・・ワイヤ、６・・・チューブ固定具、７・・・ワイヤ固定具、１１・・・リール、１３・・・ゼンマイ、１５・・・爪車、１７・・・ピン、１８・・・第１スライダー、１９・・・第１リミットスイッチ、２１・・・軸、２３・・・第２スライダー、２５・・・ソレノイド、２７・・・プランジャ、２９，３１・・・コイルスプリング、３３・・・接続具、３３ａ・・・テーパ面、３７・・・第２リミットスイッチ。
【図１】
2004173761.tif 000003
【図２】
2004173761.tif 000004
【図３】
2004173761.tif 000005
【図４】
2004173761.tif 000006